Podtech/llm-jp-corpus-v4-ja_patent huggingface dataset:
(57)【要約】【課題】低沸点媒体に温泉熱・地熱を得る掘削を実施し、資源枯渇を想定し難い温泉熱・地熱・地球水のラインシステム・温泉熱・地熱発電システム装置に該蒸気タ−ビン・該蒸気ピストンの発電駆動装置の循環システム方法を導入した。地球に環境汚染の発生しないエネルギ−システム方法の有効活用を提供する。【解決手段】地球がある限り、地球規模での温泉熱・地球熱・地球水の給水加熱活用による蒸気タ−ビン・該蒸気ピストンの発電駆動装置を提供する。この温泉熱・地熱発電装置の発電システム及び温泉熱・地熱発電駆動装置は、環境・人体・生物に安全・安心を配慮した究極の解決であり、ライン循環に関する装置システムを特徴とする。【選択図】なし【特許請求の範囲】
【請求項１】
温泉熱・地熱を得る循環ラインに温泉熱・地熱発電システムを設置し、ライン循環の温泉熱・地熱に加熱補完して蒸気化する装置に、該蒸気タ−ビン・該蒸気ピストンからの供給する温泉熱・地熱発電駆動装置を特徴とする。
【請求項２】
温泉熱・地熱を得る循環ラインに直列加熱温水用装置による有効ラインの発電駆動装置の汎用利活用を請求項１記載からなることを特徴とする。
【請求項３】
請求項１から請求項２を用いて温泉熱・地熱又は給水加熱しての蒸気化とする循環ラインを備えた温泉熱・地熱発電システムと発電駆動装置を特徴とする。
【請求項４】
請求項１，２，３の温泉熱・地熱発電システム装置及び温泉熱・地熱発電方法を該蒸気タ−ビン・該蒸気ピストン装置・加熱補完を特徴とした発電駆動装置が本発明の趣旨を逸脱しない範囲の変更は、本発明に含まれる。
【発明の詳細な説明】
【技術分野】
【０００１】本発明は、資源枯渇を想定しない温泉熱・地熱を用いた地熱発電システム装置と温泉熱・地熱利用の発電駆動装置に関するものである。【０００２】その温泉熱・地熱から得られる有益を得ることのできる、温泉熱・地熱発電システム装置及び温泉熱・地熱利用蒸気化する装置に該蒸気タ−ビン・該蒸気ピストンの発電駆動装置を環境と産業利用の目的に提供とする。
【背景技術】
【０００３】地球温暖化防止・環境破壊・資源の枯渇から、地球熱のエネルギ−が注目されている。まさに、経済面においても大きな課題になっていることから温泉熱利用発電装置・地熱利用システム方法に汎用の提案がなされている。それらに適する地域産業活性化が望まれている。【０００４】しかし、熱エネルギ−に、大型原子力・水力・火力等のエネルギ−等は上記、記載の大きな課題を残している。
【発明の開示】
【発明が解決しようとする課題】
【０００５】上記背景技術の問題点を鑑みるに、低沸点媒体の系外流出は重大な事故発生であり、非常な危険が発生する。発生の際には環境問題・人体の有害問題・可燃性・爆発性等の配慮を要する。しかも、低沸点媒体は高度な設備費用を要し高価である。温泉熱・地熱を得る循環ラインをもっての該蒸気タ−ビン・該蒸気ピストンから供給する効果的な温泉熱・地熱利用装置と発電駆動装置システムを提供することにある。【０００６】従って、任意の温泉熱・地熱を資源としたエネルギ−を得る循環ラインに直接加温補完装置のラインの有効活用・汎用活用を可能とする。本発明の目的は、低沸点媒体を使用しない温泉熱・地熱利用発電駆動装置を提供することにある。【０００７】そのような背景において、ワンストップ型の循環創出を築き得ることを課題とする。
【課題を解決するための手段】
【０００８】温泉熱・地熱利用装置と循環ラインシステムのエネルギ−源は地熱・マグマ熱・マントル熱であり、該蒸気タ−ビン・該蒸気ピストン装置の発電駆動循環供給が本課題の解決手段を可能とする知見を得た。【０００９】上記の知見に基づき、本発明における任意の温泉熱・任意の地球水の存在を最大限効果の活用を特徴とした。
【発明の効果】
【００１０】以上の説明のように、本発明の効果は、温泉熱・地熱利用装置・該蒸気タ−ビン・該蒸気ピストンの発電駆動装置システムは、環境システムが発揮され、経済負担も少ないのが特徴。【００１１】本発明は、地球規模での発想に取り組むことができ、汎用性とその知見を得た。【００１２】本発明は、温泉熱・地熱・地球水を用いることから安定供給が可能であり、しかも安価である。【００１３】本発明は、地球がある限り、地球規模での究極の発明効果を得たことを特徴とする。【００１４】本発明の温泉熱・地熱発電製造技術は高度技術を要しない。しかし先進的な高度技術を特徴とする。
【発明を実施するための最良の形態】
【００１５】温泉熱・地熱利用装置・該蒸気タ−ビン・該ピストン装置・加温補完装置システム方法の循環型発電駆動装置が本発明となる。【００１６】上記、噴出物質の有効汎用利活用形態を可能とする。【００１７】上記、循環ライン発電駆動装置設置により、発電効率を高めることができる。【００１８】この実施例については資源枯渇を想定しない有効物の汎用性から地球の恩恵による最良の形態であり、その技術を特徴とする。
【産業上の利用可能性】
【００１９】本発明は、温泉熱・地熱利用装置・該蒸気タ−ビン・該ピストン装置・加温補完装置システムを循環型発電システム方法とする。地球間温暖化・環境汚染・地球資源の枯渇等を温泉熱・地熱利用装置・地球熱利用の発電駆動装置システムにおいて、その影響を低減できる。【００２０】本発明は、環境に付加を与えず、有用に活用できる。【００２１】特に温泉熱・地熱を有効に発揮する。
(57)【要約】【課題】廃棄物の処分方法は、焼却処分となるため環境への負荷が懸念される。また、建築用部材の補強用として外壁材、間仕切り材、鉄骨の補強材として使用されたアスベストは健康被害や衛生上有害と認識され現在では使用及び製造の禁止となった。アスベストの機能を有しながら衛生上の問題を起こさない代替となる塗装材が求められている。【解決手段】本発明の接着性組成物塗装材は、アスベストの特性と同等の性質をもつ塗装材として用いることを可能とする同等の機能特性を特徴とし、汎用性があり、用途の有効活用ができる。【選択図】なし【特許請求の範囲】
【請求項１】
無機系接着性組成物硬化塗料材とその塗装材の製造方法。
【請求項２】
前記記載の接着組成物の圧力成形物とその硬化塗装材の製造方法。
【請求項３】
前記記載の無機系硬化調整剤を石炭灰からなるその塗装材の製造方法。
【請求項４】
前記記載の組成物をアスベスト代替材としてのその塗装材の製造方法。
【請求項５】
前記記載の無機系接着組成物硬化促進剤及び無機接着組成物とその成形塗装材の製造方法。
【発明の詳細な説明】
【技術分野】
【０００１】本発明は、接着組成物の成形物に無機系硬化促進剤使用を特徴とする塗装材で環境機能を発揮する塗装材製造に関する。
【背景技術】
【０００２】アスベストは、建築用部材の補強用として外壁材、間仕切り材、鉄骨の補強材として使用された。【０００３】アスベストは、紡織性、抗張性、耐摩擦性、親和性、耐火性、耐熱性、断熱性、防音性、耐薬品性、絶縁性、耐腐食性、経済性を持ち合わせている。【０００４】アスベストは、健康被害や衛生上有害と認識され現在では使用及び製造の禁止となっている。【０００５】アスベストの特徴を全て持ち合わせる素材は、石綿以外の鉱物や合成物質には無い。【０００６】本発明の接着塗装材には、紡織性、抗張性、耐摩擦性、親和性、耐火性、耐熱性、断熱性、防音性、耐薬品性、絶縁性、耐腐食性を持ち合わせている。
【発明の開示】
【発明が解決しようとする課題】
【０００７】  昨今まで建築用部材の補強用として外壁材、間仕切り材、鉄骨の補強材として使用されたアスベストは、紡織性、抗張性、耐摩擦性、親和性、耐火性、耐熱性、断熱性、防音性、耐薬品性、絶縁性、耐腐食性、経済性を持ち合わせており多用途に大量に使用された。しかしながら健康被害や衛生上有害と認識され現在では使用及び製造の禁止となっておりアスベストの機能を有しながら衛生上の問題を起こさない代替となる塗装材が求められている。【０００８】廃棄物に費用がかかり、その処分方法も焼却処分となるため環境への負荷が懸念される。
【課題を解決するための手段】
【０００９】アスベストの特性と同等の性質をもつ塗装材料として用いることを可能とするために無機系接着性組成物と混合成形し硬化させる塗装材。
【発明の効果】
【００１０】本発明の接着組成物塗装材は、紡織性、抗張性、耐摩擦性、親和性、耐火性、耐熱性、断熱性、防音性、耐薬品性、絶縁性、耐腐食性、多孔質体に着目し他の多孔質、吸着材とともに硬化形成した際にも特性機能を阻害することなく発揮するに至り、廃棄費用のかかる材料として組み合わせることで軽量化、経済性、および環境に配慮した塗装材として提供する。
【発明を実施するための最良の形態】
【００１１】粉砕機で粉状にし焼成炉に投下し８００度以上１２００度で焼成した接着組成物の塗装材をつくる。次にこの混合物を硬化成形し材料とする。
【産業上の利用可能性】
【００１２】従来アスベストが使用された押出成形セメント板などの間仕切壁、繊維強化セメント板などの内装や外装や屋根、化粧スレート、窯業系サイディング、煙突などのアスベストセメント円形などに替わる塗装材としての可能性を持つ。【００１３】断熱材用接着剤、耐熱電気絶縁板、ジョイントシート、シール材、アスベスト布、ブレーキ摩擦材などに替わる塗装材としての可能性。
(57)【要約】【課題】芳香性をもつ植物から抽出された芳香油を、凍結から解凍の反応作用プロセスから製造することから溶剤を使用しない。本発明の植物芳香族化合物の分離製造方でもって効果を揮発促進させる。植物芳香油物質液体のｐＨ調整をすることで、高額な設備投資を押さえ、比較的簡単な装置でもって大量生産することを特徴とした。【解決手段】植物芳香族化合物を凍結と解凍反応作用から比重差現象が実現するする。その、大量製造を可能とする物質の揮発促進することによって成分組成効用の有効性が発揮された。比重差を凍結原料２０重量％±１０とし解凍原料８０重量％±１０により、好ましい植物芳香族化合物の分離製造を発揮する。【選択図】なし【特許請求の範囲】
【請求項１】
植物芳香族香油含有原料を融点凍結温度製造をする。それの、凍結製造された原料を解凍することで、比重割合設定によるのところの比重差を活用とする凍結と解凍反応効果の植物芳香精油抽出方法。
【請求項２】
公知の既知植物芳香油液状物質のｐＨ調整を可能とした冷凍装置、解凍装置による効果を備えたことを特徴とする。
【請求項３】
本発明による植物芳香族化合物に珪藻土顆粒物質又はゼオライト顆粒を化合し、水分多量のペースト状物質の分離製造による、単一芳香組成物、複数混合ステップし、植物芳香組成物効果を得ることを特徴とする。
【請求項４】
請求項３において公知概知の珪藻土顆粒物質・ゼオライト顆粒物質を単一・混合のペースト状物質製造において同等の成果が得られることを特徴とする。
【請求項５】
前記、請求項１から４において本発明趣旨を逸脱しない範囲の変更は、本発明に含まれる。
【発明の詳細な説明】
【技術分野】
【０００１】本発明は、香料、芳香性をもつ植物から生成組成される植物芳香族化合物を凍結と解凍反応作用方法に関するものである。【０００２】上記の植物芳香族化合物を比重差分離させることで製造を可能とする。【０００３】本発明の植物芳香族化合物分離製造によって、産業上利用の汎用性に大きく関するものである。
【背景技術】
【０００４】従来の植物香料、芳香は、依然として各種の個別対応がなされ、抽出物質の性状対策に汎用性は希薄で、対象物質の成分組成の抽出が十分な成果を上げ得ているとは言えない実態である。対象成分物質を発揮させることで、消臭、脱臭、抗菌、殺菌、臨床効果等の汎用性を可能とし、積極的に効果が追求でき得る技術を望んでいる。
【発明の開示】
【発明が解決しようとする課題】
【０００５】前記従来、植物芳香組成物、機能の精油抽出製造を蒸留法や溶剤抽出法によっている。感覚属性に関する香料と香りの分野において、臭覚感覚に一様性のない複雑分野のまま用いられている。本発明の芳香族化合物分離製造は、公知、既知物質感覚属性を含め、消臭、脱臭、抗菌、殺菌等の促進効果の実用化を製造産業の原料に鑑みることを課題とした。【０００６】本発明は、このような実状に鑑みなされたものであり，植物芳香組成物質の成分を凍結と解凍反応作用揮発促進でその提供を目的とする。
【課題を解決するための手段】
【０００７】課題を解決するため、本発明技術は、精油含有原料を凍結反応とし、精油の融点の比重差による解凍作用効果で対象成分物質に高品質の効果が得られ、好ましい選択の合理的構成が得られ、この発明に到達した。
【発明の効果】
【０００８】以上のように、本発明技術は、植物芳香組成物質成分を無駄なく発揮され、融合性に優れ、汎用され、その期待は大きい。【０００９】植物芳香成分効用は、公知とされているものに、抗菌力、殺菌力、除菌力、院内感染を効果的に防止できるとされている。森林浴と同様の精神安定効果から癒し自然治癒力を高めるアイテムの複合の芳香揮発を促進することを特徴とする。【００１０】この発明は、対象物質を凍結から解凍の反応作用の温度比重差を活用としたものであり、溶剤を用いない装置を特徴とする。
【発明を実施するための最良の形態】
【００１１】本発明は、植物芳香成分の液状原料を水分多量のペースト状物質とし、調整水分を用途に応じて、酸性水、又はアルカリ性水のｐＨ調整を設置した冷凍装置を設け、凍結温度まで凍結設定とする。さらに、前述の植物芳香組成物、生成成分組成を解凍発揮し得る装置を設けて製造することで好ましい効果が得られる。【００１２】なお、本発明は上記技術の実施に限定されるものではなく、自然解凍の効果も発揮され、趣旨を逸脱しない種々範囲の変更は、本発明に含まれる。
【産業上の利用可能性】
【００１３】植物芳香族化合物分離を、物質を溶かす溶剤を使わずに成分の揮発促進を可能とする。しかも、大量製造を可能とすることの効果に係わる。【００１４】上記、植物成分物質を発揮促進することで、消臭、脱臭、抗菌、殺菌等の汎用性の効果が得られ、製造産業上の利用可能性を有する。
(57)【要約】      （修正有）【課題】一定量の水を、複数の水槽を使用して循環させることにより継続的な水力発電を行う方法を提供する。【解決手段】高低差をつけて設置した複数の水槽の水を循環させて継続的な水力発電を行う。水槽１（1）から水力発電機（１９）までの水の移動は、高低差を利用したサイフォン効果で継続的に行われて、水力発電機（１９）からの排水は、水槽４（４）と水槽５（５）に交互に移動させることで、それぞれの水槽内の空気圧を変化させ、その変化を利用して水槽４（４）または水槽５（５）の水を水槽１（1）に移動することにより水を循環させ、継続的な水力発電を行うことを特徴とする。【選択図】図１
2012255446.tif 000002
【特許請求の範囲】
【請求項１】
高低差をつけて設置した複数の水槽を導水管でつなぎ、貯水した水を循環させることにより継続的な水力発電を行う方法。
【発明の詳細な説明】
【技術分野】
【０００１】
この発明は、複数の水槽を使用して水を循環させることにより継続的な水力発電を行う方法に関するものである。
【背景技術】
【０００２】
従来、水力発電は揚水式発電を除き、発電に使用した水を再利用することがなかった。
【先行技術文献】
【特許文献】
【０００３】
該当文献不明
【発明の概要】
【発明が解決しようとする課題】
【０００４】
これは、次のような欠点があった。
発電に使用した水を再利用することがないため、継続的に水流が発生する条件がある場所でしか発電を行うことができなかった。
また、揚水式発電は揚水ポンプ作動時に電力消費が発生するために、純粋な水力発電としての正味の発電量が減少するという問題点があった。
本発明は、以上のような欠点をなくすためになされたものである。
【課題を解決するための手段】
【０００５】
高低差をつけて配置した５つの水槽を導水管及び空気管で接続して、８か所の止水栓の開閉により水の移動をコントロールすることにより水が循環を繰り返す装置に水力発電機を設置する。
本発明は、以上の構成によりなる継続的な水力発電を可能とする複数水槽を使用した水循環装置である。
【発明の効果】
【０００６】
本発明は、一定量の水と簡易な装置で継続的な水力発電が可能であり、従来の水力発電のように設置場所を選ぶ必要もなく、太陽光発電や風力発電のように自然環境に発電量が影響されることもなく、火力発電のように石炭・石油・ガスなどの消耗物質も必要とせず、ＣＯ２の排出はゼロで、原子力発電のような核燃料廃棄物の処理や放射能汚染の問題も発生しない、安全性が高くコストパフォマンスの良いクリーンな電気をつくることができる。
【図面の簡単な説明】
【０００７】
【図１】本発明の正面図
【発明を実施するための形態】
【０００８】
以下、本発明を実施するための形態について説明する。
まず事前準備として水槽１（1）、水槽２（２）、水槽４（４）に一定量の水を貯水する。水槽３（３）と水槽５（５）は空の状態にする。このときの各止水栓は、止水栓１（１１）は閉じる、止水栓２（１２）は開ける、止水栓３（１３）は閉じる、止水栓４（１４）は閉じる、止水栓５（１５）は閉じる、止水栓６（１６）は開ける、止水栓７（１７）は開ける、止水栓８（１８）は閉じるの状態にしておく。この貯水した水を循環させることで継続的な水力発電を行うために以下の順番で水槽間の水を移動させる。
【０００９】
導水管２（６）の止水栓４（１４）を開けて水槽２（２）の水を水槽３（３）へ移動させる。水槽２（２）の水位が低下することで導水管１（６）内部に吸引力が働き水槽１（1）の水が止水栓２（１２）を経由して水槽２（２）へ移動を始める。この状態で止水栓３（１３）を開けて止水栓２（１２）を閉じると水槽１（1）の水は、導水管１（６）の止水栓３（１３）を経由して水力発電機（１９）へ移動する。水槽１（1）より低い位置に水力発電機（１９）を設置しているので導水管１（６）にサイフォン効果が働き、水槽１（1）の水がなくなるまで水力発電機（１９）への水の移動は継続する。
【００１０】
水槽２（２）の水と水力発電機（１９）からの排水は水槽３（３）に一時貯水されて、導水管３（８）の止水栓６（１６）を経由して空の水槽５（５）に移動する。水槽５（５）の水位が上昇することで水槽５（５）の空気が空気管（１０）を通じて水槽４（４）へ移動する。このことで水槽４（４）内部の空気圧が高まり水槽４（４）の水が導水管４（９）を通じて水槽１（1）へ移動を始める。これにより水槽１（1）から移動した水が水力発電機（１９）で発電を行い、また水槽１（1）へ戻ってくる水の循環が完成する。
【００１１】
水槽５（５）の水位が一定以上になったら止水栓５（１５）を開け、止水栓６（１６）を閉じ、止水栓７（１７）を閉じ、止水栓８（１８）を開けることで、水槽３（３）からの水の移動を水槽４（４）へ切り替える。水槽４（４）の水位が上昇することで水槽４（４）の空気が空気管（１０）を通じて水槽５（５）へ移動する。このことで水槽５（５）内部の空気圧が高まり水槽５（５）の水が導水管４（９）を通じて水槽１（1）へ移動を始める。
【００１２】
水槽４（４）の水位が一定以上になったら止水栓５（１５）を閉じ、止水栓６（１６）を開け、止水栓７（１７）を開け、止水栓８（１８）を閉じることで、水槽３（３）からの水の移動を水槽５（５）へ切り替える。以後水槽４（４）と水槽５（５）の水位の変化により水槽３（３）からの水の移動を切り替えることにより、水槽１（1）から移動した水が水力発電機（１９）で発電を行い、また水槽１（1）へ戻ってくる水の循環が継続的に行われることになる。
【００１３】
水の蒸発、漏水などで全体の水量が減少した場合及び水槽間の水量のバランスが悪くなった場合や水槽４（４）及び水槽５（５）内部の空気圧のバランスが悪くなった場合などの理由で水の循環がスムーズにできなくなったときは、初期状態に戻し、再運転を行うことで再び継続的な水の循環が可能となる。
【符号の説明】
【００１４】
１ 水槽１（上部開放水槽）
２ 水槽２（密閉水槽）
３ 水槽３（上部開放水槽）
４ 水槽４（密閉水槽）
５ 水槽５（密閉水槽）
６ 導水管１
７ 導水管２
８ 導水管３
９ 導水管４
１０ 空気管
１１ 止水栓１
１２ 止水栓２
１３ 止水栓３
１４ 止水栓４
１５ 止水栓５
１６ 止水栓６
１７ 止水栓７
１８ 止水栓８
１９ 水力発電機
【図１】
2012255446.tif 000003
(57)【要約】      （修正有）【課題】雨の日雨具を使用する時、あまり手を使わないで利用できるもので、使用を止めた時、持つのに邪魔にならず携帯に便利な、雨具をつくる。【解決手段】弾力性の有る細長い板を、笠の縁より内側に、左右対称に貼り付けて、傘の骨として使用し、被った時傘のように開く形にして、上部はポンチョのフードの様な形で、下部は傘を開いた形の、被れるアンブレラとする。細長い板は、たたんでしまう時持ち運びやすい、小さく薄くたたんで収納できる配置にする。【選択図】図１
2012255243.tif 000002
【特許請求の範囲】
【請求項１】
弾力性の有る細長い板を、貼り付けて使用する、小さく薄くたためて、携帯しやすい、被れるアンブレラ。
【請求項２】
弾力性の有る細長い板を、傘の骨として使う、請求項１の、被れるアンブレラ。
【請求項２】
弾力性の有る細長い板を、複数貼り付けて傘になる部分の生地が垂れないようにする為に、傘の骨として使う、請求項１の、被れるアンブレラ。
【請求項３】
水を浸透させない材質の帽子に、下の方は傘のように開く形に作る、請求項１の、被れるアンブレラ。
【請求項４】
傘の柄を無くした、請求項１の、被れるアンブレラ。
【請求項５】
雨具の中心に体の位置が来る、請求項１の、被れるアンブレラ。
【請求項６】
複数の細長い板を、笠の縁より内側に、左右対称に貼り付けて、被った時傘のように開く形にする、請求項１の、被れるアンブレラ。
【請求項７】
細長い板は、たたんでしまう時、小さく収納できる配置にする、請求項１の、被れるアンブレラ。
【請求項８】
前掛けのようなものを、別に作る、請求項１の、被れるアンブレラ。
【発明の詳細な説明】
【発明の詳細な説明】
【技術分野】
【０００１】  本発明は、コンパクトにたためて携帯に便利で、そして、置き傘として机の隅に入れて置いても場所をとらず。被って着用するのも簡単で、傘の様に手で持たなくてよいので、両手が空くので軽作業もすることが出来、風が強くなければ濡れることも少なく、梅雨時の蒸す時も比較的快適に着用出来るものを作り。雨が吹き付ける時濡れるのを防ぐためものと、使わないときに、収納し携帯しやすいケースを、一つもので作る。
【背景技術】
【０００２】  従来の傘をさす時には、必ず傘を片手で持って差します。風の強い雨の日には、両手で持って差さなければならなくなります。又、ポンチョ等のレインウェアは、電車通勤などでは、着るとき、脱ぐとき、たたんむときに手間がかかります。そして、梅雨時の湿気があって蒸し暑い時など、着用したとき不快感が伴うもので、それぞれに、欠点がありました。
【発明が解決しようとする課題】
【０００３】  従来の傘においては、雨の日に傘を差す場合、片手は差すのに必ず使い、必ず傘を持つためにとられてしまいます。そして、電車などに乗っている時、傘が邪魔になります。又、折りたたみ傘の場合、たたむ時手間がかかります。雨の日雨具を使用する時、あまり手を使わないで利用できるもので、使用を止めた時、持つのに邪魔にならず携帯に便利な、雨具をつくる。
【０００４】  また、梅雨時の蒸した日などに、ポンチョ等のレインウェアを着用する場合、被って不快に感じます。このような時でも、快適に利用できる、雨具をつくる。
【０００５】  さらに、置傘にするにも、携帯するにも嵩張らないようにコンパクトに収納できるような、雨具をつくる。
【０００６】  そして、雨具を使用するとき、簡単に開いて被れる雨具を作る。
【０００７】  また、  雨具をたたんでしまうとき、即座に簡単に折りたためる構造の雨具をつくる。
【０００８】  さらに、吹き付けるような雨でも、腹から下がびしょ濡れにならないような雨具をつくる。
【０００９】  また、携帯する時や、置き雨具として仕舞って置く時の為に、収納するためのケースを別につくる。
【００１０】  そして、雨が吹き付ける時に、腹の部分から下が濡れるのを防ぐものと、収納するためのケースを使って兼用で使えるように作る。
【課題を解決するための手段】
【００１１】  上記目的を達成するために、本発明における、小さく薄くたたんで持ち運びやすい、被れるアンブレラは、上部はポンチョのフードの様な形で、下部は傘を開いた形になる。
【００１２】  被れるアンブレラを、携帯しやすくする為に、材質は適度に柔らかくて薄いビニールでつくる。
【００１３】  被れるアンブレラを、広げたり、たたんだりする時の作業を、簡単にできるようにする為、傘の骨の役目をする、弾力性の有る薄い板を、左右対称に入れて、下の方が開く形にする。
【００１４】  そして、下の方を開く形にするものは、合成樹脂で出来た、弾力性の有る細長く加工した薄い板を使用する。
【００１５】  また、弾力性の有る細長く加工した板は、雨の当たる部分の裏側に、数か所接着剤を使って貼り付ける。
【００１６】  細長く加工した板は、開くと、前後の径よりも長い形の、楕円形になるように左右対称に取り付ける。
【００１７】  収納するためのケースは、長方形の雨の浸透しない材質でつくり、前掛けを、首や肩から下げられるようにつくる。
【発明実施の形態】
【００１８】  雨が降らないときは、左右対称に貼り付けた板を重ね合わせて、小さくたたみながら、傘及びフードで丸めこむ。
【００１９】  そして、小さく丸めた雨具は、収納するための前掛けに包んで、置き雨具として、引き出しに入れておき、雨模様のときや、突然の雨に遭いやすい季節は，持ち歩くと良い。
【００２０】  また、雨に出遭ったら、前掛けに包んである、雨具を取り出し、広げて被り、乗物に乗るときには、丸めて前掛けで包む。
【００２１】  さらに、雨が激しく降ってきたときには、収納用の前掛けを、吹き付ける方へ下げて、手を胸の所へ上げて、手荷物などは抱え込むようにすると良い。
【発明の効果】
【００２２】  本発明は、以上説明したように構成されているので、以下に記載されるような効果をそうする。
【００２３】  傘の柄の代わりを、被る人がするので、雨具の中心に体がある形なので、雨具が小さくても、濡れることが少ない。
【００２４】  柄が付いてないので、両手が空くので、簡単な手作業くらいできる。物も両手で運べて、合羽より物を濡らすことが少ない。
【００２５】  梅雨時の蒸れる時期でも、歩くと雨具が上下動して、空気が下から上に抜けるので、レインウェアにない着用感がある。
【００２６】  雨具を包む為の前掛けを、セットでつくるので、少々雨が吹き付けても、小さい割に濡れない、その上、傘のように骨が折れることがない。
【００２７】  傘のように柄がないのと、骨の代わりに、薄い板を使うので、より軽量でコンパクトになる。
【図面の簡単な説明】
【図１】  本発明の正面図である。
【図２】  本発明の側面図である。
【図３】  本発明右内側、弾力性のある薄い板の、貼りつけ位置図である。
【符号の説明】  １、雨具本体
２、つば
３、薄い板
【図１】
2012255243.tif 000003
【図２】
2012255243.tif 000004
【図３】
2012255243.tif 000005
(57)【要約】【目的】  この発明は大津波に襲われた際の避難を目的とするもので、複数の人が一時に登れ、老人、病人、子供、高所恐怖症の人等が安全に登りやすくするための足掛りを、適宜数とりつけた事を特長とする津波避難塔。【構成】  コの字状の足掛りを、上部に避難スペースを有し、津波の力を避けるために円柱状とした津波避難塔本体に適宜数とりつけて、その内と外の両側で一時に複数の人が登れる如くしたもの。【選択図】図２
2012255328.tif 000002
【特許請求の範囲】
【請求項１】
内と外の両側を一時に複数の人が登れる如くの足掛りを適宜数とりつけたことを特長とする津波避難塔。
【発明の詳細な説明】
【技術分野】
【０００１】  この発明は海沿いで海抜の低い平地における津波対策として上部に避難スペースを有した塔に内外の両側で一時に複数の人が登れる如く形状の足掛りを適宜数とりつけたことを特長とする津波避難塔に関するものである。
【背景技術】
【０００２】  従来、津波に襲われたとき、近くにビル等の無い場合は火の見櫓とか鉄塔とかの高い建物に避難するしかなかった。
しかし、こうした建物で地域住人の多くが避難するには人数的に限界があると共に、それ等の建物は本来が津波避難用のものではないことから登りにくく、また波に強いとは言えず、その上、電線が切断、落下する恐れも考えられ危険であった。よって、誰もが登りやすい足掛りの安全な津波避難塔が望まれていた。
【発明が解決しようとする課題】
【０００３】  一般に塔には、それを登るための足掛りを有するが、それは塔の形状により梯子タイプとか鎹タイプとか電柱によく見られるボルトタイプ等が有った。
しかし、津波避難塔の場合は、子供や病人、老人そして高所恐怖症の人などあらゆる人が登ろうとする塔であるから、登る際に恐怖感を出来る限り抱かずに登れ、且つ津波に攫われてしまわないためには一時に多くの人が登れるタイプの足掛りであることが課題であった。
【課題を解決するための手段】
【０００４】  本発明はその課題を解決するためのもので、以下にその一実施例について説明する。例えば
図１に示す如く、コの字状を呈する頑丈な足掛りを、図２に示す如く津波の力を避けるため、円柱状の津波避難塔本体２に、適宜数をその内側でも又外側でも上部の避難スペース３まで登れる如くにとりつける。
【発明の効果】
【０００５】イ、本発明の足掛り１はコの字状を呈し、その内側でも外側でも人が登れる如くなっているから、大津波で危険が迫ったとき図１に示す如く、外側のそれぞれ４、５、６で一時に３人が登る事が可能で、その後３人ずつが次々に登れるから、従来の足掛りと異なり登り遅れて波に攫われる危険は少ない。この効果が有ることによって従来の他の足掛りと異なる大きな意義が有る。
ロ、幼児、老人、病人等は内側を登れば他の人が外側を登りつつサポートできる。
ハ、従来、塔など高所に登るとき高くなる程に恐怖が増し、子供や高所恐怖症の人はめまいや足がすくんでしまうことが有ったが、本発明によって足掛りの内側を登れば我が身がコの字状に囲まれている如くなることによって恐怖感は相当に和らぐ
ニ、従来、塔を登る途中で下方向を見るとき下界が丸見えのため墜落の不安を抱き恐怖となるが、本発明によれば下方向を見ても適宜数にとりつけたコの字状足掛りによって下界の多くが隠れて見えにくく、よって墜落の不安はかなり抑えられる。
ホ、前述の如く従来の鎹タイプとかボルトタイプの足掛りの場合は、一人ずつが登れるタイプだから、これは誰かが途中で恐怖などから動けなくなった際に後者が登れなくて波に攫われてしまう事も有り得たが、本発明によれば、一時に複数の人が登れるタイプだから途中で動けなくなった人が有っても後者は他の側から登れることによって、登り遅れて攫われる危険は少ない。
ヘ、従来の足掛りの梯子タイプ、鎹タイプ、ボルトタイプ等では高く登れば登る程に横方向からの強い風には危険だが本発明では足掛りの内側を登ればコの字状に囲まれる如くなるから吹き押されても危険が少ない。
【図面の簡単な説明】
【０００６】
【図１】コの字状足掛りの図
【図２】中間部をカットした本発明津波避難塔の図
【符号の説明】
【０００７】１、コの字状足掛り
２、津波避難塔本体
３、避難スペース
４、足掛りの右手側
５、足掛りの手前側
６、足掛りの左手側
７、地面
【図１】
2012255328.tif 000003
【図２】
2012255328.tif 000004
(57)【要約】      （修正有）【課題】トイレットペーパーのように使い捨てができ、清潔で、使いやすく、どこでも使用できる男性用排尿飛散防止具を提供する。【解決手段】漏斗形状で下部に直径１ｃｍ程度の穴３と、腕部２を設けて持ちやすくして、便器の上で、尿検査時の採尿容器に尿を採取する時と同じ要領で使用して排尿することにより排尿飛散を防止し、１分ほどで水に溶ける紙などで製作して、使用後は、トイレットペーパーのように使い捨てとし、未使用品は、紙袋のように、閉じた状態で保管し、使用時に袋を開くようにする。【選択図】図１
2012255327.tif 000002
【特許請求の範囲】
【請求項１】
１分ほどで水に溶ける紙などを使用して、上部に腕部、下部に直径１ｃｍ程度の穴を設けた漏斗形状の排尿飛散防止具。
【発明の詳細な説明】
【技術分野】
【０００１】  本発明は、トイレットペーパーのように使い捨てができ、清潔で、使いやすく、どこででも使用できる、男性用排尿飛散防止具に関するものである。
【背景技術】
【０００２】  男性用小便器は、排尿を飛散させないように、滑らかで、湾曲に製造され、多くの形状が考案されている。大小便兼用便器に対しても、飛散防止のため、従来の便器の補助具として、排尿飛散防止具が考案されている（特許文献１、特許文献２参照）。
【先行技術文献】
【０００３】
【特許文献１】特開２００８−２９７７７９号公報
【特許文献２】特開平０７−３４５０９号公報
【発明の概要】
【発明が解決しようとする課題】
【０００４】  従来の男性用小便器は、排尿を飛散させないように、多くの形状が考案されているが、公衆用便器の周囲は、飛散した排尿で常に汚染されているのが現実であり、決定的な形状は未だ考案されていない。大小便兼用便器についても、男性の排尿時の飛散防止のために、便器の補助具として、排尿飛散防止具が考案されているが、装備が難しかったり、美観を損ねたりして普及していない。洋風和風を問わず、家庭用大小便兼用便器でも、立った状態では、注意深く排尿しても飛散させないことは、困難であった。
本発明は、以上の問題点を解決するものである。
【課題を解決するための手段】
【０００５】  漏斗形状で下部に直径１ｃｍ程度の穴と、腕部を設けて持ちやすくして、便器の上で、尿検査時の採尿容器に尿を採取する時と同じ要領で使用して排尿する。１分ほどで水に溶ける紙などで製作し、使用後は、トイレットペーパーのように使い捨てとする。
未使用品は、紙袋のように、閉じた状態で保管し、使用時に袋を開くようにする。
以上の構成よりなる排尿飛散防止具。
【発明の効果】
【０００６】  従来困難とされてきた排尿時に尿を飛散させないことを、本発明により容易にし、排尿を飛散させることなく、便器に排尿できる。本発明の材質は、１分ほどで水に溶ける紙などであり、使い捨てしても便器や排水管などを詰まらせない。
本発明は、使用方法が簡単で、未使用品の収容、保管が容易で、携帯も可能で、衛生的で、環境にもやさしく、美観も損なわない。
【図面の簡単な説明】
【０００７】
【図１】本発明の使用状態の斜視図
【図２】本発明の未使用状態の正面図
【発明を実施するための形態】
【０００８】  以下、本発明の実施の形態を説明する。
（イ）排尿飛散防止具（１）の形状は、漏斗形状として、材質は、水に溶ける紙などとす      る。
（ロ）上部に腕部（２）、下部に直径１ｃｍほどの開口穴（３）を設ける。
本発明は以上のような構造である。
本発明を使用するときは、排尿時に、漏斗形状の容器の排尿飛散防止具（１）の上部の腕部（２）を手で持ち、尿検査時の採尿容器に尿を採取する時と同じ要領で、便器の上で、入り口（４）に排尿（６）する。排尿直後に、尿は、排出口（５）にある開口穴（３）から便器内に飛散せずに排出（７）される。未使用時には、閉じた状態の排尿飛散防止具（８）のように、紙袋を閉じた状態であり、重ねて保管する。
【符号の説明】
【０００９】  １排尿飛散防止具、２腕部、３開口穴、４入り口、５排出口、６排尿、７排出、８閉じた状態の排尿飛散防止具
【図１】
2012255327.tif 000003
【図２】
2012255327.tif 000004
(57)【要約】【課題】からだの肌を健康な状態に導き、潤いある肌を守ること、美肌作用に役立つ植物成分エキス、海藻成分エキスを混合配合した石けんを提供する。【解決手段】本発明の石けんは、美肌効能成分を含有している植物類、海藻類から加熱、粉砕、液化、乾燥してできた粉末の植物成分エキスと海藻成分エキスを混合配合することにより、健康な肌が得られる。この石けんを洗顔、浴用、および手洗いなどに使用することによるアトピー性皮膚炎の改善と肌荒れ、かさつきから来るかゆみ、およびあかぎれ等を解消して保湿、潤い効果を維持して肌の健康や美肌作用に大きな成果を得られるものである。【選択図】なし【特許請求の範囲】
【請求項１】
美肌の効能成分として、よもぎ、さくら葉などの植物成分エキスとわかめ、昆布などの海藻成分エキスを混合配合することを特徴とする石けん。
【発明の詳細な説明】
【技術分野】
【０００１】
この発明は、植物成分エキスと海藻成分エキスを混合配合することにより、お肌を守り健康な美肌状態を維持することができる石けんに関するものである。
【背景技術】
【０００２】
従来より、各種の成分エキスを含有させて洗浄力、美肌によいとした石けんがあるが、ただ単一成分エキス（例えば植物成分エキス）のみ配合したため美肌効果が限られていた。
【先行技術文献】
【特許文献】
【０００３】
【特許文献１】特開平１１−２６９４９６号公報
【発明の概要】
【発明が解決しようとする課題】
【０００４】
からだの肌に対する保護、潤いを維持するために、植物類、海藻類から抽出した美肌成分エキスを混合配合した石けんを提供するものである。
【課題を解決するための手段】
【０００５】
以上の課題を解決するために、美肌作用の効能を含有するよもぎ、さくら葉などの植物成分エキスとわかめ、昆布などの海藻成分エキスを混合配合したことを特徴とする石けんである。
【発明の効果】
【０００６】
植物成分エキスの保湿効果、潤い効果および肌荒れ抑止効果等と海藻成分エキスのぬめり性保護効果が相乗作用して健康な肌、美肌効果がより多く得られるものである。
【発明を実施するための形態】
【０００７】
本発明の石けんは、従来の石けん製造方法と同様に、植物性オイルと水溶性アルカリ成分の鹸化反応中に植物成分エキス、海藻成分エキスを混合撹拌して柔らかいクリーム状になれば、型に流して熟成乾燥することで製造できる。
【０００８】
本発明に配合される植物成分エキスの採取法は、よもぎ、さくら葉などの植物を水洗い、加熱粉砕液化して乾燥粉末する方法、または乾燥粉砕粉末する方法である。
【０００９】
本発明に配合される海藻成分エキスの採取法は、わかめ（とくに、めかぶ）、昆布（とくに、根昆布）などを加熱粉砕液化して乾燥粉末する方法、または乾燥粉砕粉末する方法である。
【００１０】
本発明の石けんは、効能成分としてよもぎ、さくら葉などの植物成分エキスとわかめ、昆布などの海藻成分エキスが数種類含有混合するので、植物性オイルの洗浄力、泡立ちのよさを維持し、肌を弱酸性に保って健康な状態に導き、ニキビ、アトピー性皮膚炎の解消することと、肌の荒れを和らげて潤いを維持する植物成分エキスと、肌トラブル（例えば、あかぎれ）を解消するフコイダン類のぬめり成分を含有する海藻成分エキスが、肌の新陳代謝、保護機能、および保湿効果を促進して健康な肌、美肌効果を得られる。
【実施例】
【００１１】
本発明を具体的に説明する。オリーブオイル、ココナッツオイル、およびパームオイルの植物性オイルと水溶性アルカリの原料が混ぜあった中に、植物成分エキスと海藻成分エキスを全原材料中１.１５〜２.０５質量％に配合して、少しずつ混ぜ合わし撹拌を繰り返した後、型に流し熟成乾燥して石けんを形成した。
【００１２】
この石けんを洗顔石けん、浴用石けん、および手洗い石けんとして使用したが、使用時、使用後の肌に不適合な症状が生じることなく、しっとり感を得られながら使い続けられた。植物成分エキス、海藻成分エキスの相乗効果でアトピー性皮膚炎の改善、ニキビやあかぎれなどの肌トラブルを解消しつつ、保湿効果と保護機能により健康な状態の潤いある肌を守り維持して美肌つくりとなる。
(57)【要約】【課題】本発明の課題はホストコンピュータのＯＳに依存せずに生体認証及びＯＳに依存しない操作を行ない、不揮発性メモリーを差し替え可能にする暗号装置を提供することである。【解決手段】本発明の暗号化装置はホストコンピュータとは独立したＣＰＵ及び演算チップを持ち生体認証センサーから得た情報を処理し暗号化および復号化のためのキーを生成する。そしてホストコンピューターよりインターフェースを介して得た情報を暗号化して着脱可能な不揮発性メモリーに書き込む。またホストコンピューターの要求によって外部不揮発性メモリーの内容を復号化してホストコンピュータが読み取れるようにする。メモリーの読み書きと生体認証の学習とは本発明の装置に外部メモリーが刺さっているかどうかで判定する。【選択図】図１
2012134934.tif 000002
【特許請求の範囲】
【請求項１】
ＵＳＢホストインターフェースとＵＳＢターゲットインターフェースと生体認証システムとを持つＣＰＵ装置で、生体認証システムより得た情報をキーとしてＵＳＢホストインターフェースに刺したＵＳＢメモリーとＵＳＢターゲットインターフェースとの通信をホストコンピュータのリソースを使わず暗号化する装置であってホストはメモリーアクセスするだけで操作できることを特徴とする暗号化装置。
【請求項２】
ＰＣ外部バスに接続することができるインターフェースと外部不揮発メモリーとに接続でき生体認証システムとを持つＣＰＵ装置で、生体認証システムより得た情報をキーとして外部不揮発メモリーとＰＣ外部バスとの通信をホストコンピュータのリソースを使わず暗号化する装置であってホストはメモリーアクセスするだけで操作できることを特徴とする暗号化装置。
【発明の詳細な説明】
【技術分野】
【０００１】本発明は、コンピュータと外部記憶装置との間に設置する暗号化装置に関する。
【背景技術】
【０００２】メモリーを暗号化するために生体認証センサーを備えたＵＳＢメモリーは存在するが、生体認証のための演算をホストコンピュータで行っている物や、生体認証の学習を特定ＯＳのアプリケーションにより行っているため、サポートされていないＯＳの任意のコンピュータに使うことができない。またメモリーと生体認証センサーとは不可分であるため、メモリーが必要な数だけ生体認証センサーも必要となり高価なシステムになる。
【先行技術文献】
【特許文献】
【０００３】
【特許文献１】特許公開２００８−２５０７９７
【発明の概要】
【発明が解決しようとする課題】
【０００４】本発明の課題はホストコンピュータのＯＳを使わずに生体認証及びＯＳに依存しない操作を行ない、不揮発性メモリーを差し替え可能にする暗号装置を提供することである。
【課題を解決するための手段】
【０００５】課題を解決するための手段を図１を用いて説明する。本発明の装置を使用するためには生体認証情報を学習させなければならない。学習用操作スイッチを設けることもできるが、より簡単かつ安全に操作するため外部不揮発性メモリーインターフェース４に外部メモリーを刺さずに本発明の装置を対ホストコンピューターインターフェース１でホストコンピュータに接続する。ホストコンピュータは本装置をメモリーデバイスと認識するのでファイルブラウザでアクセスすることができる。この状態で生体認証センサー２に情報を入れると、ローカルコンピュータシステム３がパターン認識をし生体認証ＩＤと暗号化のキーの組が生成される。【０００６】この状態でホストコンピュータのファイルブラウザにはローカルコンピュータシステム３が生成したファイルイメージが一般ファイルのように見えるがこのファイルは空で生体認証ＩＤと暗号化のキーは外部からアクセス出来ない内部メモリーに記憶する。ただしファイルブラウザによってアクセスすることで「学習」し、ファイルを消すことで、認証パターンを「消去」できる。特別のアプリケーションを使わず、ファイルブラウザというどのＯＳにも備わった基本ソフトで操作できることが特徴である。また生体認証ＩＤと暗号化のキーを外部アクセスできなくしているのはセキュリティを高めるためである。【０００７】本発明の暗号化装置はホストコンピュータとは独立したＣＰＵ及び演算チップによるローカルコンピュータシステム３を持ち生体認証センサー２から得た情報を処理し暗号化および復号化のためのキーを生成し生体認証の結果と組にして内部不揮発性メモリーに記憶する。そしてホストコンピューターより対ホストコンピューターインターフェース１を介して得た情報を暗号化して着脱可能な外部不揮発性メモリーインターフェース４に挿した外部不揮発性メモリーに書き込む。【０００８】またホストコンピューターの要求によって外部不揮発性メモリーの内容を復号化してホストコンピュータが読み取れるようにする。
【発明の効果】
【０００９】本発明によればホストコンピュータを介さずに暗号化／復号化および学習操作が行われるため、ホストコンピュータのＯＳに依存することなくインターフェースの仕様さえ合っていれば用いることができる。【００１０】また、暗号化／復号化に必要なキーが入った暗号化装置と暗号が格納されている記憶装置とを別々に離して保管できるため一緒になったものよりも高度なセキュリティを提供できる。【００１１】本発明の装置一台に暗号化機能を持たない複数の不揮発性メモリーを差し替えて使用できるため、一台ごとに生体認証センサーを持つものより安価なシステムを構築できる。
【図面の簡単な説明】
【００１２】
【図１】１は対ホストコンピューターインターフェース、２は生体認証センサー、３はローカルコンピュータシステム、４は外部不揮発性メモリーインターフェース。
【実施例】
【００１３】本発明において対ホストコンピューターインターフェースにＵＳＢターゲットインターフェースを、対不揮発性メモリーにＵＳＢホストインターフェースを生体認証センサに指紋認証を用いた場合の実施例を説明する。【００１４】ユーザーはＵＳＢフラッシュメモリーを本発明の装置に挿し、本発明の装置をホストコンピュータに刺した後、指紋認証センサーに指をタッチすると認証機能が働き合致すればＵＳＢフラッシュメモリーの内容を読み書きできるが、合致しない場合アクセス不能となる。【００１５】指紋の登録には、ＵＳＢフラッシュメモリーを装着せず本発明の装置をホストコンピュータに刺した後、指紋認証センサーに指をタッチしホストコンピュータのファイルブラウザでアクセスすると登録される。【００１６】本実施例はＵＳＢを例に説明したがインターフェースはこれに限らず、ＳＤ，ｍｉｃｒｏＳＤ，ＣＦ，ＭＭＣ，ＣａｒｄＢｕｓなど不揮発性メモリーをつなげるものなら使えるし、複数のインターフェースを持つことも可能である。指紋認証についても他の生体認証、例えば瞳孔や静脈認証等に置き換えられるのは自明である。
【産業上の利用可能性】
【００１７】本発明は個人情報などセキュリティが必要な情報を取り扱うすべてのコンピューター、不揮発性メモリーに利用できる。
【図１】
2012134934.tif 000003
(57)【要約】【課題】使いやすく、自動制御ニーズにも対応できるＰＩＲセンサー付きＬＥＤライト管を提供する。【技術手段】ライトカバー、ライトソケット、ＬＥＤライトとライト管体が備わり、ライトソケットは于ライト管体の両側に、ライトカバーはライト管体に設けられ、そしてライトカバーは該ＬＥＤライトを覆うように設けられているが、また、ＰＩＲセンサーが備わり、ＰＩＲセンサーは該ライトカバーに設けられていることを特徴とする。【選択図】  図１
2012134053.tif 000002
【特許請求の範囲】
【請求項１】
ライトカバー（３）、ライトソケット（２）、ＬＥＤライトとライト管体（１）が備わり、ライトソケット（２）はライト管体（１）の両側に、ライトカバー（３）はライト管体（１）に設けられ、そしてライトカバー（３）はＬＥＤライトを覆うように設けられているが、また、ＰＩＲセンサー（４）が備わり、ＰＩＲセンサー（４）は該ライトカバー（３）に設けられていることを特徴とするＰＩＲセンサー付きＬＥＤライト管。
【請求項２】
該ライト管体（１）は、アルミニウム合金放熱体であることを特徴とする請求項１に記載のＰＩＲセンサー付きＬＥＤライト管。
【請求項３】
該アルミニウム合金放熱体の外壁には、放熱シンクが設けられていることを特徴とする請求項２に記載のＰＩＲセンサー付きＬＥＤライト管。
【請求項４】
該ライトカバー（３）は、半円形管体であることを特徴とする請求項３に記載のＰＩＲセンサー付きＬＥＤライト管。
【請求項５】
該ライトカバー（３）は、ＰＶＣ管カバーであることを特徴とする請求項４に記載のＰＩＲセンサー付きＬＥＤライト管。
【発明の詳細な説明】
【技術分野】
【０００１】
本発明は、照明器具の技術分野に関わり、特に、ＰＩＲセンサー付きＬＥＤライト管に関する。
【背景技術】
【０００２】
照明灯は、都市の道路、庭、通路、ガレージ、事務所、公衆場所などの照明に広く使用され、人々の生活に多くの利便性を提供している。よく使用される照明灯タイプ、例えば、タングステン電球、蛍光灯とＬＥＤ照明器具などがあり、そのなか、ＬＥＤ照明器具は、高効率、安全、省エネ、環境にやさしく、使用寿命が長く、応答速度が速いなどのメリットがあり、次第に最も広く用いられている。
ＬＥＤライト管は、よく見られるＬＥＤ照明器具だが、スイッチでＬＥＤ電球をオン又はオフにするのは、あまり便利ではなく、自動制御ニーズにも対応できない。  
【発明の概要】
【発明が解決しようとする課題】
【０００３】
本発明は、従来の技術の不十分なところについて、使いやすく、自動制御ニーズにも対応できるためのＰＩＲセンサー付きＬＥＤライト管を提供することを目的とする。  
【課題を解決するための手段】
【０００４】
上述の目的を実現させるため、本発明は次のような技術手段で実施されるが、ライトカバー、ライトソケット、ＬＥＤライトとライト管体、ライトソケットはライト管体の両側に、ライトカバーはライト管体に設けられ、そしてライトカバーは該ＬＥＤライトを覆うように設けられているが、また、ＰＩＲセンサーが備わり、ＰＩＲセンサーは該ライトカバーに設けられていることを特徴とするＰＩＲセンサー付きＬＥＤライト管である。
該ライト管体は、アルミニウム合金放熱体である。
該アルミニウム合金放熱体の外壁には、放熱シンクが設けられている。
該ライトカバーは、半円形管体である。
該ライトカバーは、ＰＶＣ管カバーである。
【発明の効果】
【０００５】
本発明は、ライトカバー、ライトソケット、ＬＥＤライトとライト管体が備わり、ライトソケットは于ライト管体の両側に、ライトカバーはライト管体に設けられ、そしてライトカバーは該ＬＥＤライトを覆うように設けられているが、また、ＰＩＲセンサーが備わり、ＰＩＲセンサーは該ライトカバーに設けられていることを特徴とする該ＰＩＲセンサー付きＬＥＤライト管であり、使用の時、ＰＩＲセンサーは、人の体温を検知すると、ＬＥＤライトを点灯させ、人の体温を検知できない場合、ＬＥＤライトを消灯させるようにすることになっており、それにより、自動制御の目的を果たすことで、使いやすく、自動制御ニーズにも対応できるという効果がある。
【図面の簡単な説明】
【０００６】
【図１】本発明の構造イメージを示す。
【発明を実施するための形態】
【０００７】
図面により、本発明について更に説明する。
図１に示すように、ライトカバー３、ライトソケット２、ＬＥＤライトとライト管体１が備わり、ライトソケット２はライト管体１の両側に、ライトカバー３はライト管体１に設けられ、そしてライトカバー３は該ＬＥＤライトを覆うように設けられているが、また、ＰＩＲセンサー４が備わり、ＰＩＲセンサー４は該ライトカバーに設けられていることを特徴とするＰＩＲセンサー付きＬＥＤライト管であり、好適的な実施形態として、該ライト管体１はアルミニウム合金放熱体であり、アルミニウム合金放熱体の外壁には放熱シンクが設けられ、アルミニウム合金放熱体は、導熱や放熱効果に優れたものであり、  放熱シンクは、アルミニウム合金放熱体と外部の空気との接触面積を高め、アルミニウム合金放熱体の放熱效果を向上させるようにするが、好適な実施形態として、該ライトカバー３は半円形管体、ライトカバー３はＰＶＣ管カバーであることを特徴とする。
【０００８】
本発明の該ＰＩＲセンサー付きＬＥＤライト管の作動原理は、使用の時、ＰＩＲセンサー４は、人の体温を検知すると、ＬＥＤライトを点灯させ、人の体温を検知できない場合、ＬＥＤライトを消灯させるようにすることになっており、それにより、自動制御の目的を果たすこと、また、スイッチを取り入れて使用する場合、より柔軟に利用できるので、使いやすく、自動制御ニーズにも対応できる。
【０００９】
上述は、本発明の好適な実施形態について説明する内容のみであり、本発明の特許請求の範囲に該当する構造、特徴や原理に基づいて行った変化や改造は、いずれも、本発明の特許請求の範囲に属するものとする。
【符号の説明】
【００１０】
１    ライト管体
２    ライトソケット
３    ライトカバー
４    ＰＩＲセンサー
【図１】
2012134053.tif 000003